(57)【要約】  【課題】本発明は、丁合帳票体、丁合帳票体マッチング検査システム、丁合帳票体マッチング検査方法に関し、丁合対象の個別帳票体の枚数によらず、マッチング照合のために形成したマークパターンの認識を確実とさせることを目的とする。  【解決手段】丁合帳票体１１，２１を構成する各個別帳票体１２Ａ〜１２Ｄ（２２Ａ〜２２Ｄ）のそれぞれに、マッチング検査のための、磁気量対応の磁気センサで検出されるそれぞれ対応のマークパターン１４Ａ〜１４Ｄ（１５Ａ〜１５Ｄ）の検査マークを磁性体により形成させ、丁合後にそれぞれのマークパターン１４Ａ〜１４Ｄ（１５Ａ〜１５Ｄ）を当該磁気センサで検出してマッチング照合させる構成とする。  【選択図】  図１
2008074556.tif 000002
【特許請求の範囲】
【請求項１】
それぞれ対応付けられた複数の個別帳票体を丁合し、丁合後に各個別帳票体を認識させる丁合帳票体であって、
前記各個別帳票体のそれぞれに、マッチング検査のための、磁気量対応の磁気センサで検出されるそれぞれ対応のマークパターンの検査マークが磁性体により形成されることを特徴とする丁合帳票体。
【請求項２】
それぞれ対応付けられた複数の個別帳票体を丁合し、丁合後に各個別帳票体に形成されたマークパターンを認識させる請求項１記載の丁合帳票体に対して丁合マッチングを検査するマッチング検査システムであって、
前記丁合帳票体の各個別帳票体に磁性体で形成されたそれぞれの検査マークを磁気量対応で検出する磁気センサと、
前記磁気センサで検出したそれぞれの検査マークよりマークパターンを認識するパターン認識手段と、
前記認識したマークパターンに基づいて各個別帳票体が正規に丁合されているか否かを照合する照合手段と、
を有することを特徴とするマッチング検査システム。
【請求項３】
それぞれ対応付けられた複数の個別帳票体を丁合し、丁合後に各個別帳票体に形成されたマークパターンを認識させる請求項１記載の丁合帳票体に対して丁合マッチングを検査するマッチング検査方法であって、
前記丁合帳票体の各個別帳票体に磁性体で形成されたそれぞれの検査マークを磁気量対応で磁気センサにより検出するステップと、
前記検出したそれぞれの検査マークよりマークパターンを認識し、メモリに記憶するステップ、
前記メモリに記憶された各個別帳票体のそれぞれのマークパターンに基づいて当該各個別帳票体が正規に丁合されているか否かをメモリ照合領域で照合するステップと、
を含むことを特徴とするマッチング検査方法。
【発明の詳細な説明】
【技術分野】
【０００１】
本発明は、複数の帳票体の丁合後に帳票体同士のマッチングを行うための丁合帳票体及びマッチング検査システム及びマッチング検査方法に関する。
【背景技術】
【０００２】
近年、例えば複数枚の帳票体を丁合して封緘体に封入した後に、個別先に配送することが行われ、封緘体に、実際に個別先毎の帳票体が封入されているかを検査することが行われている。このような、丁合後の重ねられた帳票体を検査するにあたって各帳票体を確実に認識する必要があると共に、確実に認識させる帳票体を容易に作製されることが望まれる。
【０００３】
従来、丁合後に各個別帳票体同士のマッチングを行うために、各個別帳票体にそれぞれマッチングのためのマークや符号を付しておき、マークや符号を認識することでマッチングの正否を判別することが一般的に行われている。このような各個別帳票体に付すマッチングのためのマークや符号について、以下の特許文献で提案されているものがある。
【０００４】
【特許文献１】特許第３０９８５５７号公報
【０００５】
上記特許文献では、丁合される各シートの、それぞれ丁合後の重ならない位置に照合記号（バーコード）を付すもので、当該照合記号が金属または金属粉入りインキで印刷し、当該照合記号をＸ線透過による検査装置により読み取ってマッチング検査を行うことが提案されている。また、インキの他に、導電粉末入りのトナーを定着させる技術も提案されている。
【発明の開示】
【発明が解決しようとする課題】
【０００６】
上記特許文献で提案されているように、各シートに照合記号（バーコード）を形成させるに際して、Ｘ線で検出可能な金属または金属粉入りインキで印刷を行うことによって可変的データを容易に照合記号として形成させることができるものであるが、丁合させるシートの枚数が多くなると、下層の照合記号が認識されないか、または誤認識する場合も生じてくる。
【０００７】
そこで、本発明は上記課題に鑑みなされたもので、丁合対象の個別帳票体の枚数によらず、マッチング照合のために形成したマークパターンの認識を確実とさせる丁合帳票体及びマッチング検査システム及びマッチング検査方法を提供することを目的とする。
【課題を解決するための手段】
【０００８】
上記課題を解決するために、請求項１の発明では、それぞれ対応付けられた複数の個別帳票体を丁合し、丁合後に各個別帳票体を認識させる丁合帳票体であって、前記各個別帳票体のそれぞれに、マッチング検査のための、磁気量対応の磁気センサで検出されるそれぞれ対応のマークパターンの検査マークが磁性体により形成される構成とする。
【０００９】
請求項２の発明では、それぞれ対応付けられた複数の個別帳票体を丁合し、丁合後に各個別帳票体に形成されたマークパターンを認識させる請求項１記載の丁合帳票体に対して丁合マッチングを検査するマッチング検査システムであって、前記丁合帳票体の各個別帳票体に磁性体で形成されたそれぞれの検査マークを磁気量対応で検出する磁気センサと、前記磁気センサで検出したそれぞれの検査マークよりマークパターンを認識するパターン認識手段と、前記認識したマークパターンに基づいて各個別帳票体が正規に丁合されているか否かを照合する照合手段と、を有する構成とする。
【００１０】
請求項３の発明では、それぞれ対応付けられた複数の個別帳票体を丁合し、丁合後に各個別帳票体に形成されたマークパターンを認識させる請求項１記載の丁合帳票体に対して丁合マッチングを検査するマッチング検査方法であって、前記丁合帳票体の各個別帳票体に磁性体で形成されたそれぞれの検査マークを磁気量対応で磁気センサにより検出するステップと、前記検出したそれぞれの検査マークよりマークパターンを認識し、メモリに記憶するステップ、前記メモリに記憶された各個別帳票体のそれぞれのマークパターンに基づいて当該各個別帳票体が正規に丁合されているか否かをメモリ照合領域で照合するステップと、を含む構成とする。
【発明の効果】
【００１１】
請求項１の発明によれば、各個別帳票体のそれぞれに、マッチング検査のための、磁気量対応の磁気センサで検出されるそれぞれ対応のマークパターンの検査マークを磁性体により形成することにより、丁合対象の個別帳票体の枚数によらず、マークパターンを構成する検査マークを磁気量で検出されて認識されることから、マッチング照合のために形成したマークパターンの認識を確実とさせることができるものである。
【００１２】
請求項２、３の発明によれば、丁合帳票体の各個別帳票体に磁性体で形成された検査マークを磁気量で磁気センサにより検出させ、検出した検査マークよりマークパターンを認識させ、認識された各個別帳票体のそれぞれのマークパターンに基づいて当該各個別帳票体が正規に丁合されているか否かを照合させることにより、個別帳票体の枚数によらず、マッチング照合のために形成したマークパターンの認識を確実とさせてマッチング照合を確実とさせることができるものである。
【発明を実施するための最良の形態】
【００１３】
以下、本発明の最良の実施形態を図により説明する。
図１に、本発明に係る丁合帳票体の構成図を示す。図１（Ａ）は枚葉の個別帳票体を丁合させる場合の概念図、図１（Ｂ）は枚葉の個別帳票体を各折り込んで丁合させる場合の概念図である。
【００１４】
図１（Ａ）において、丁合帳票体１１は、ここでは４種類の個別帳票体（第１帳票体１２Ａ〜第４帳票体１２Ｄ）が丁合されたものとし、これを個別先毎に丁合して図２で示す封緘体に封入した後に配送するものとして示している。第１帳票体１２Ａには、配送先の住所、氏名等が印刷されると共に、当該氏名に関連付けられた管理符号１３も同時に印刷される。この管理符号１３は、少なくとも後述のマークパターンを特定するものとして使用される。また、当該第１帳票体１２Ａと丁合される第２帳票体１２Ｂ以降の個別帳票体にも所定内容のものが適宜印刷される。なお、帳票体は、紙、樹脂等を基体としてシートの他に、冊子状のものやパンフレット等をも含む概念である。
【００１５】
また、第１帳票体１２Ａ〜第４帳票体１２Ｄのそれぞれに、一例として丁合後に重ならない位置に検査マークの組み合わせで構成されるマークパターン１４Ａ〜１４Ｄが形成される。この場合、丁合の最下部となる個別帳票体に形成されるマークパターン１４Ｄには、同じ形成領域にエンドフラグマーク１４Ｅが付加される。なお、最下部のマークパターン１４Ｄとエンドフラグマーク１４Ｅとは一体のマークパターンである。
【００１６】
上記マークパターン１４Ａ〜１４Ｄ（１４Ｅを含む）は、マッチング検査のための、磁気量対応の磁気センサで検出されるそれぞれ対応のマークパターンの検査マークの図３で示す組み合わせで磁性体により形成される。当該磁性体としては、印刷用の磁気インキを使用することができ、当該磁気インキは例えば通常の印刷インキに磁性体粉を混入させたものとして、例えばインクジェットプリンタにより印刷形成される。また、当該マークパターン１４Ａ〜１４Ｄ（１４Ｅ）は、配送対象の個別先毎に対応させて一組とさせるための互いに関連付けたものである（ここでは、同じマークパターンとしている）。
【００１７】
一方、図１（Ｂ）において、丁合帳票体２１は、図１（Ａ）の個別帳票体のそれぞれを、例えばＺ折りとする場合を示したもので、折り位置に応じてマークパターンの形成位置を決定している。すなわち、各個別帳票体（第１帳票体２２Ａ〜第４帳票体２２Ｄ）をＺ折りとさせる第１折り片〜第３折り片に対して、Ｚ折り後の各個別帳票体が丁合されたときに重ならない位置でそれぞれ検査マークの組み合わせのマークパターン１５Ａ〜１５Ｄ（エンドフラグマーク１５Ｅを含む）が上述のように磁気インキで形成されるものである。なお、図示しないが、最上部となる第１帳票体２２Ａの最上の折り片には、上記第１帳票体１２Ａと同様に、宛先や管理符号１３等が別途印刷される。
【００１８】
ここで、図２に、図１の丁合帳票体が封入された検査状態の説明図を示す。図２（Ａ）は図１（Ａ）に対応し、図２（Ｂ）は図１（Ｂ）に対応している。図２（Ａ）において、図１（Ａ）に示す丁合帳票体１１（第１帳票体１２Ａ〜第４帳票体１２Ｄ）は、封緘体２３に封緘された状態である。この封緘体２３は、図に表れないが、第１帳票体１２Ａに印刷された宛名や管理符号１３を視認可能させる窓が形成されたものである（このことは図２（Ｂ）も同様である）。
【００１９】
上記封緘体２３に封緘された丁合帳票体１１は、各個別帳票体（第１帳票体１２Ａ〜第４帳票体１２Ｄ）が枚数に応じた重ね位置で、それぞれのマークパターン１４Ａ〜１４Ｄ（１４Ｅ）が配置されることとなるが、これらマークパターン１４Ａ〜１４Ｄ（１４Ｅ）同士は重なってはいない。
【００２０】
また、図２（Ｂ）においても、Ｚ折りされた各個別帳票体が丁合された丁合帳票体２１が封緘体２３に封緘されたものであり、重ね枚数に応じた位置でそれぞれのマークパターン１５Ａ〜１５Ｄ（１５Ｅ）が配置されることとなり、これらマークパターン１５Ａ〜１５Ｄ（１５Ｅ）同士は重なってはいない。
【００２１】
ここで、図３に、図１の丁合帳票体における各個別帳票体に形成されるマークパターンの一例の説明図を示す。図３に示すマークパターンは、各個の検査マークの組み合わせで、一例として６種類（１〜６）のパターンとしたものである。また、丁合したときに最下部となる個別帳票体（図１における第４帳票体１２Ｄ，２２Ｄ）に対して、対応パターンにエンドフラグマーク（１４Ｅ，１５Ｅ）を組み合わせた６種類（１Ｅ〜６Ｅ）のマークパターンを設定したものである。
【００２２】
このように、丁合対象の個別帳票体（第１帳票体１２Ａ〜第４帳票体１２Ｄ）の枚数によらず、マークパターン１４Ａ〜１４Ｄを構成する検査マークを磁気量対応で検出されて認識されることから、マッチング照合のために形成したマークパターンの認識を確実とさせることができるものである。
【００２３】
そこで、図４に、本発明に係る丁合帳票体のマッチング検査システムのブロック構成図を示す。図４において、マッチング検査システム３１は、撮像カメラ３２、磁気センサ３３、マッチング検査処理部３４、表示手段３５及び管理情報ＤＢ（管理情報データベース）３６を含んで構成される。上記撮像カメラ３２は例えばＣＣＤカメラであり、例えばビットマップの撮像データをマッチング検査処理部３４に送出する。
【００２４】
上記磁気センサ３３は、磁気量対応のもので、例えば磁気インピーダンス効果センサ、フラックスゲート磁気センサや磁気抵抗効果（ＭＲ）センサなどで実現することができる。当該磁気量対応の磁気センサ３３は、外部磁界（磁性体の検査マークからの磁界）で磁気特性（インピーダンスや誘起電圧）が変化する高周波駆動型のものが、特に当該検査マークの距離特性において好ましく、検査マークに対して検出波形（検知レベル）としてマッチング検査処理部３４に出力するものである。上記管理情報ＤＢ３６は、氏名、住所等の顧客情報、顧客毎の印刷情報、顧客毎に割り当てられる管理符号、当該管理符号と関連付けられたマークパターン等が記憶されている。
【００２５】
上記マッチング検査処理部３４は、制御手段４１、バス４２、インタフェース（ＩＦ）４３、ＲＯＭ４４、ＲＡＭ４５、画像認識手段４６、パターン認識手段４７、照合手段４８及び出力手段４９を適宜備える。上記制御手段４１は、当該システムをアルゴリズム処理により統括的に制御するもので、そのためのプログラムがＲＯＭ４４に備えられている。上記ＲＡＭ４５は、一時記憶のためのメモリであり、照合メモリ領域等の各種プログラムの作業領域となる半導体メモリや仮想的に設定されるハードディスクである。
【００２６】
上記画像認識手段４６は、撮像カメラ３２より送られてくる撮像データ（例えばビットマップデータ）を解析してテキストデータ等の符号認識を行うものであって、ここでは上記丁合帳票体１１，２１に印刷された管理符号１３を認識するプログラムであり、ＲＡＭ４５に展開されて実行される。上記パターン認識手段４７は、上記磁気センサ３３で検出した検査マークの出力波形を解析して認識し、当該検査マークで組み合わされたマークパターンを認識するプログラムであり、ＲＡＭ４５に展開されて実行される。
【００２７】
上記照合手段４８は、画像認識手段４６で認識された管理符号１３に基づいて管理情報ＤＢ３６より、当該管理符号１３に関連付けられているマークパターンを取得し、当該管理情報ＤＢ３６より取得したマークパターンと上記パターン認識手段４７で認識したマークパターンとを照合して各個別帳票体（第１帳票体１２Ａ（２２Ａ）〜第４帳票体１２Ｄ（２２Ｄ））が正規に丁合されているか否かを照合するプログラムであり、ＲＡＭ４５に展開されて実行される。上記出力手段４９は、照合手段４８による照合結果を表示手段３５に出力して表示させるための電子回路等である。
【００２８】
ここで、図５に、図４のパターン認識の原理説明図を示す。図５においては、図１（Ａ）及び図２（Ａ）に対応させているが、図１（Ｂ）及び図２（Ｂ）に対しても同様である。図５に示す丁合帳票体１１の各個別帳票体（第１帳票体１２Ａ〜第４帳票体１２Ｄ）に形成されたマークパターン１４Ａ〜１４Ｄのそれぞれの検査マークが上記磁気センサ３３によって検出されると、その検出に応じた出力波形がマッチング検査処理部３４に入力される。すなわち、マークパターン１４Ｂ〜１４Ｄ（検査マーク）は、各個別帳票体（第１帳票体１２Ａ〜第４帳票体１２Ｄ）の厚みによって検知感度が低下し、それに応じた検知レベルの出力波形がマッチング検査処理部３４に入力される。そして、パターン認識手段４７において、入力に応じた各検査マークの検出波形に基づいてマークパターン１４Ａ〜１４Ｄが認識されるものである。
【００２９】
そこで、図６に、本発明に係る丁合帳票体のマッチング検査システムによるマッチングの処理フローチャートを示す。図６においても、図１（Ａ）及び図２（Ａ）に対応させてマッチング処理を行う場合を示すが、図１（Ｂ）及び図２（Ｂ）に対しても同様である。図６において、マッチング検査処理部３４は、まず、撮像カメラから管理符号１３の画像を入力し（ステップ（Ｓ１））、画像認識手段４６が入力した画像データを解析して管理符号１３を特定し、当該特定した管理符号１３の情報を一旦ＲＡＭ４５に記憶する（Ｓ２）。
【００３０】
一方、磁気センサ３３が丁合帳票体１１の各個別帳票体（第１帳票体１２Ａ〜第４帳票体１２Ｄ）に磁気インキで形成されたマークパターン１４Ａ〜１４Ｄの元となる検査マークをその磁気量で検出され、当該検出した検査マークに対応した検出波形が順次入力される（Ｓ３）。パターン認識手段４７では、磁気センサ３３で検出した検査マークの検出波形よりマークパターン１４Ａ〜１４Ｄを認識し、一旦ＲＡＭ４５に記憶する（Ｓ４）。
【００３１】
続いて、照合手段４８において、画像認識手段４６で認識された管理符号１３に基づいて管理情報ＤＢ３６より、当該管理符号１３に関連付けられているマークパターンを取得し、当該管理情報ＤＢ３６より取得したマークパターンと上記パターン認識手段４７で認識したマークパターン１４Ａ〜１４Ｄ（１４Ｅ）とをエンドフラグマーク１４Ｅが付加されているマークパターンまで順次照合して各個別帳票体（第１帳票体１２Ａ（２２Ａ）〜第４帳票体１２Ｄ（２２Ｄ））が正規に丁合されているか否かをＲＡＭ４５の照合メモリ領域で順次照合する（Ｓ６）。そして、照合手段４８における照合結果を表示手段３５に出力して表示させるものである（Ｓ７）。
【００３２】
このように、個別帳票体（第１帳票体１２Ａ〜第４帳票体１２Ｄ）の枚数によらず、マッチング照合のために形成したマークパターン１４Ａ〜１４Ｄの認識を確実とさせてマッチング照合を確実とさせることができるものである。
【００３３】
ところで、上記実施形態では、丁合帳票体１１，２１における各個別帳票体（第１帳票体１２Ａ，２２Ａ〜第４帳票体１２Ｄ，２２Ｄ）に形成するマークパターン１４Ａ〜１４Ｄ（１４Ｅ），１５Ａ〜１５Ｄ（１５Ｅ）を丁合後に重ならない位置に形成させた場合を示したが、重なる位置に形成させても同様の効果を奏することができるものである。この場合、磁気センサ３３としては、高周波駆動型のものを採用することが好適である。
【００３４】
すなわち、検査マークが重なったところでは、磁気量が多いものとしてそれに応じた検出波形が出力されるものであるから、基本の検出波形の検知レベルを予め設定しておけば、磁気センサ３３の距離特性で重ならない検査マークの検出波形と区別することができる。また、重なった検査マークに対しては、磁気センサ３３の磁気センサ素子に高周波を印加することによってインピーダンス又は誘起電圧が外部磁界（検査マークからの磁界）の影響で変化する特性により、重なった検査マーク全体の外部磁界が重なり位置で異なり、当該変化量で重なり位置を認識できるものである。
【産業上の利用可能性】
【００３５】
本発明の丁合帳票体及びマッチング検査システム、マッチング検査方法は、個別帳票体を複数丁合した後の個別帳票体同士のマッチングを照合する場合に適する。
【図面の簡単な説明】
【００３６】
【図１】本発明に係る丁合帳票体の構成図である。
【図２】図１の丁合帳票体が封入された検査状態の説明図である。
【図３】図１の丁合帳票体における各個別帳票体に形成されるマークパターンの一例の説明図である。
【図４】本発明に係る丁合帳票体のマッチング検査システムのブロック構成図である。
【図５】図４のパターン認識の原理説明図である。
【図６】本発明に係る丁合帳票体のマッチング検査システムによるマッチングの処理フローチャートである。
【符号の説明】
【００３７】
１１，２１      丁合帳票体
１２，２２      個別帳票体
１３            管理符号
１４，１５      マークパターン
２３            封緘体
３１            マッチング検査システム
３３            磁気センサ
３４            マッチング検査処理部
３６            管理情報ＤＢ
４７            パターン認識手段
４８            照合手段
【図１】
2008074556.tif 000003
【図２】
2008074556.tif 000004
【図３】
2008074556.tif 000005
【図４】
2008074556.tif 000006
【図５】
2008074556.tif 000007
【図６】
2008074556.tif 000008